【手続補正書】
【提出日】平成17年11月18日(2005.11.18)
【手続補正１】
【補正対象書類名】明細書
【補正対象項目名】発明の名称
【補正方法】変更
【補正の内容】
【発明の名称】画像記録装置、管理装置、カラープルーフ作成システム、情報処理方法、及びコンピュータプログラム製品
【手続補正２】
【補正対象書類名】明細書
【補正対象項目名】特許請求の範囲
【補正方法】変更
【補正の内容】
【特許請求の範囲】
【請求項１】  各色分解網原稿の網点画像データに基づいて、複数の発色層が積層してなる感光材料を、波長の異なる光を発する複数の各光源により露光することで画像を記録する画像記録装置であって、
前記網点画像データの色版印刷順に基づいて、前記複数の光源の発するべき各光量値を演算する演算手段と、
前記演算手段にて算出された各光量値に基づいて、前記複数の各光源の出力を各々調整する制御を行う制御手段と、
を含むことを特徴とする画像記録装置。
【請求項２】  各色分解網原稿の網点画像データに基づいて、複数の発色層が積層してなる感光材料と、波長の異なる光を発する複数の各光源により露光することで画像を記録する画像記録装置であって、
前記網点画像データの色版印刷順と、前記複数の光源の発するべき各光量値との相関関係を定義した印刷順テーブルに関する情報を格納した情報格納手段と、
前記色版印刷順に基づいて、前記情報格納手段の前記印刷順テーブルを参照しながら対応する各前記光量値を算出して前記複数の各光源の露光量を各々調整制御する制御手段と、
を含むことを特徴とする画像記録装置。
【請求項３】  各色分解網原稿の網点画像データに基づいて、複数の発色層からなる感光材料を、波長の異なる光を発する複数の各光源により露光して画像を記録する画像記録装置であって、
前記網点画像データの色版印刷順を設定するための順序設定手段と、
指定された色版印刷順に基づいて、前記各光源による露光条件を変更制御する制御手段と、
を含むことを特徴とする画像記録装置。
【請求項４】  各色分解網原稿の網点画像データを面順次に画像記録装置に転送して、複数の発色層が積層してなる感光材料を、波長の異なる複数の光を露光することによりカラープルーフを得るための前記画像記録装置を管理する管理装置であって、
前記網点画像データの色版印刷順と、前記複数の光源の発するべき各光量値との相関関係を定義した印刷順テーブルに関する情報を格納した情報格納手段と、
前記色版印刷順に基づいて、前記情報格納手段の前記印刷順テーブルを参照しながら対応する各前記光量値を演算処理する演算手段と、
前記演算手段にて演算された前記各光量値に関する情報を前記画像記録装置に対して転送するように制御する管理制御手段と、
を含むことを特徴とする管理装置。
【請求項５】  画像編集された画像編集ファイルを受付るとともに、前記画像編集ファイルの複数色よりなる少なくとも一つの画像データを展開分版して少なくとも１組の各色版データとし、この各色版データを面順次で複数のうち少なくとも一つの画像記録装置に転送し、前記画像記録装置からカラープルーフを出力するカラープルーフ作成システムであって、
前記画像記録装置にて出力される各色版データの出力描画順序に応じて、露光量を調整制御する制御手段を含むことを特徴とするカラープルーフ作成システム。
【請求項６】  画像編集された画像編集ファイルを受付るとともに、前記画像編集ファイルの複数色よりなる少なくとも一つの画像データを展開分版して少なくとも１組の各色版データとし、この各色版データを面順次で画像記録装置に転送し、前記画像記録装置から各色版データでカラープルーフを出力するカラープルーフ作成システムであって、
前記画像記録装置にて出力される前記各色版データの出力描画順序を設定する順序設定手段と、
前記順序設定手段にて設定された設定情報に基づき、前記画像記録装置にて出力される露光量を制御する制御手段と、
を含むことを特徴とするカラープルーフ作成システム。
【請求項７】  画像を編集する画像編集用の複数の情報端末と、
複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、
前記画像処理装置と前記通信網を介して通信可能とされ、前記各色版データに基づいて、カラープルーフを各々作成出力する複数の画像記録装置と、
を含み、
前記画像処理装置は、前記画像記録装置にて出力される各色版データの出力描画順序に応じて、露光量を調整制御する制御手段を含むことを特徴とするカラープルーフ作成システム。
【請求項８】  画像編集された画像編集ファイルを受付るとともに、前記画像編集ファイルの複数色よりなる少なくとも一つの画像データを展開分版して少なくとも１組の各色版データとし、この各色版データを面順次で画像記録装置に転送し、前記画像記録装置から基材と各色版データとでカラープルーフを出力する処理を行う情報処理方法であって、
前記画像記録装置にて出力される各色版データの出力描画順序に応じて、露光量を調整制御するステップを含むことを特徴とする情報処理方法。
【請求項９】  各色分解網原稿の網点画像データに基づいて、複数の発色層が積層してなる感光材料を、波長の異なる光を発する複数の各光源により露光することで画像を記録する画像記録装置によりカラープルーフを作成するための画像処理を行うプログラムが記録されたコンピュータ可読媒体を有するコンピュータプログラム製品であって、
前記網点画像データの色版印刷順と、前記複数の光源の発するべき各光量値との相関関係を定義した印刷順テーブルに関する情報を格納した情報格納手段と、
前記色版印刷順に基づいて、前記情報格納手段の前記印刷順テーブルを参照しながら対応する各前記光量値を算出して前記複数の各光源の露光量を各々調整制御する制御手段と、
を含むことを特徴とするコンピュータプログラム製品。
【手続補正３】
【補正対象書類名】明細書
【補正対象項目名】０００１
【補正方法】変更
【補正の内容】
【０００１】
【発明の属する技術分野】
本発明は、画像記録装置、管理装置、カラープルーフ作成システム、情報処理方法、及びコンピュータプログラム製品に関し、特に、ＲＩＰ（ラスター・イメージ・プロセッサ）または網点変換処理装置で処理された網点画像データに基づき、波長の異なる複数の光源によってカラー感光材料を感光させることで、印刷物の仕上がりを事前に確認するためのカラープルーフを作成するものに関する。
【手続補正４】
【補正対象書類名】明細書
【補正対象項目名】００１７
【補正方法】変更
【補正の内容】
【００１７】
また、上記目的を達成するために、請求項１乃至２に記載の発明に係る画像記録装置は、前記網点画像データの色版印刷順を設定する順序設定手段をさらに有し、前記制御手段は、前記順序設定手段にて指定された前記色版印刷順に基づいて、前記複数の各光源の露光量を各々調整制御することを特徴としている。
【手続補正５】
【補正対象書類名】明細書
【補正対象項目名】００１８
【補正方法】変更
【補正の内容】
【００１８】
また、上記目的を達成するために、請求項１乃至２に記載の発明に係る画像記録装置は、前記印刷順テーブルは、前記感光材料がダイレクトポジ方式である場合に利用される、前記光量値を規定したポジ式のテーブルを含み、前記制御手段は、前記感光材料が前記ダイレクトポジ方式である場合に、前記ポジ式のテーブルに基づいて複数の前記光源の露光量を調整制御することを特徴としている。
【手続補正６】
【補正対象書類名】明細書
【補正対象項目名】００１９
【補正方法】変更
【補正の内容】
【００１９】
また、上記目的を達成するために、請求項２に記載の発明に係る画像記録装置は、前記印刷順テーブルは、前記感光材料がネガ方式である場合に利用される、前記光量値を規定したネガ式のテーブルを含み、前記制御手段は、前記感光材料が前記ネガ方式である場合に、前記ネガ式のテーブルに基づいて複数の前記光源の露光量を調整制御することを特徴としている。
【手続補正７】
【補正対象書類名】明細書
【補正対象項目名】００２０
【補正方法】変更
【補正の内容】
【００２０】
また、上記目的を達成するために、請求項２に記載の発明に係る画像記録装置は、前記感光材料のネガ方式若しくはダイレクトポジ方式に応じて、当該方式がいずれであるのかを設定する感光材料方式設定手段をさらに有し、前記制御手段は、前記露光量を調整制御するにあたり、前記感光材料方式設定手段にて設定された方式に基づいて前記ネガ式のテーブル若しくは前記ポジ式のテーブルを切換制御して複数の前記光源の露光量を調整制御することを特徴としている。
【手続補正８】
【補正対象書類名】明細書
【補正対象項目名】００２１
【補正方法】変更
【補正の内容】
【００２１】
また、上記目的を達成するために、請求項１乃至２に記載の発明に係る画像記録装置は、前記順序設定手段は、前記網点画像データの色版であるＹ、Ｍ、Ｃ、Ｋの各版の印刷順に対応した、前記複数の光源の発するべき各光量値を各々設定入力可能な設定画面を含み、前記制御手段は、前記設定画面にて入力された値に基づいて、前記露光量を調整制御することを特徴としている。
【手続補正９】
【補正対象書類名】明細書
【補正対象項目名】００２２
【補正方法】変更
【補正の内容】
【００２２】
また、上記目的を達成するために、請求項１乃至２に記載の発明に係る画像記録装置は、前記順序設定手段は、予め露光条件と印刷順との関係をチャンネル化して前記チャンネル指定を可能に形成されることを特徴としている。
【手続補正１０】
【補正対象書類名】明細書
【補正対象項目名】００２３
【補正方法】変更
【補正の内容】
【００２３】
また、上記目的を達成するために、請求項３に記載の発明に係る画像記録装置は、各色分解網原稿の網点画像データに基づいて、複数の発色層からなる感光材料を、波長の異なる光を発する複数の各光源により露光して画像を記録する画像記録装置であって、前記網点画像データの色版印刷順を設定するための順序設定手段と、指定された色版印刷順に基づいて、前記各光源による露光条件を変更制御する制御手段と、を含むことを特徴としている。
【手続補正１１】
【補正対象書類名】明細書
【補正対象項目名】００２４
【補正方法】変更
【補正の内容】
【００２４】
また、上記目的を達成するために、請求項３に記載の発明に係る画像記録装置は、前記制御手段は、前記順序設定手段にて設定された色版印刷順に基づいて、前記複数の光源の発するべき各光量値の組み合わせを算出し、露光される前記複数の光源の露光量の出力を調整する制御を行うことを特徴としている。
【手続補正１２】
【補正対象書類名】明細書
【補正対象項目名】００２５
【補正方法】変更
【補正の内容】
【００２５】
また、上記目的を達成するために、請求項３に記載の発明に係る画像記録装置は、前記制御手段は、前記順序設定手段にて設定された色版印刷順に基づいて、対応する前記感光材料の前記発色層の各濃度を算出し、この濃度により前記複数の光源の露光量の調整制御を行うことを特徴としている。
【手続補正１３】
【補正対象書類名】明細書
【補正対象項目名】００２６
【補正方法】変更
【補正の内容】
【００２６】
また、上記目的を達成するために、請求項４に記載の発明に係る管理装置は、各色分解網原稿の網点画像データを面順次に画像記録装置に転送して、複数の発色層が積層してなる感光材料を、波長の異なる複数の光を露光することによりカラープルーフを得るための前記画像記録装置を管理する管理装置であって、前記網点画像データの色版印刷順と、前記複数の光源の発するべき各光量値との相関関係を定義した印刷順テーブルに関する情報を格納した情報格納手段と、前記色版印刷順に基づいて、前記情報格納手段の前記印刷順テーブルを参照しながら対応する各前記光量値を演算処理する演算手段と、前記演算手段にて演算された前記各光量値に関する情報を前記画像記録装置に対して転送するように制御する管理制御手段と、を含むことを特徴としている。
【手続補正１４】
【補正対象書類名】明細書
【補正対象項目名】００２７
【補正方法】変更
【補正の内容】
【００２７】
また、上記目的を達成するために、請求項４に記載の発明に係る管理装置は、前記網点画像データの色版印刷順を設定する順序設定手段をさらに有し、前記演算手段は、前記順序設定手段にて指定された前記色版印刷順に基づいて、前記複数の各光源の露光量を各々算出することを特徴としている。
【手続補正１５】
【補正対象書類名】明細書
【補正対象項目名】００２８
【補正方法】変更
【補正の内容】
【００２８】
また、上記目的を達成するために、請求項４に記載の発明に係る管理装置は、前記印刷順テーブルは、前記感光材料がダイレクトポジ方式である場合に利用される、前記光量値を規定したポジ式のテーブルを含み、前記演算手段は、前記感光材料が前記ダイレクトポジ方式である場合に、前記ポジ式のテーブルに基づいて複数の前記光源の露光量を算出することを特徴としている。
【手続補正１６】
【補正対象書類名】明細書
【補正対象項目名】００２９
【補正方法】変更
【補正の内容】
【００２９】
また、上記目的を達成するために、請求項４に記載の発明に係る管理装置は、前記印刷順テーブルは、前記感光材料がネガ方式である場合に利用される、前記光量値を規定したネガ式のテーブルを含み、前記演算手段は、前記感光材料が前記ネガ方式である場合に、前記ネガ式のテーブルに基づいて複数の前記光源の露光量を算出することを特徴としている。
【手続補正１７】
【補正対象書類名】明細書
【補正対象項目名】００３０
【補正方法】変更
【補正の内容】
【００３０】
また、上記目的を達成するために、請求項４に記載の発明に係る管理装置は、前記感光材料のネガ方式若しくはダイレクトポジ方式に応じて、当該方式がいずれであるのかを設定する感光材料方式設定手段をさらに有し、前記演算手段は、前記感光材料方式設定手段にて設定された方式に基づいて前記ネガ式のテーブル若しくは前記ポジ式のテーブルを切換制御して複数の前記光源の露光量を演算することを特徴としている。
【手続補正１８】
【補正対象書類名】明細書
【補正対象項目名】００３１
【補正方法】変更
【補正の内容】
【００３１】
また、上記目的を達成するために、請求項４に記載の発明に係る管理装置は、前記順序設定手段は、前記網点画像データの色版であるＹ、Ｍ、Ｃ、Ｋの各版の印刷順に対応した、前記複数の光源の発するべき各光量値を各々設定入力可能な設定画面を含み、前記制御手段は、前記設定画面にて入力された値に基づいて、前記露光量を調整制御することを特徴としている。
【手続補正１９】
【補正対象書類名】明細書
【補正対象項目名】００３２
【補正方法】変更
【補正の内容】
【００３２】
また、上記目的を達成するために、請求項４に記載の発明に係る管理装置は、前記順序設定手段は、予め露光条件と印刷順との関係をチャンネル化して前記チャンネル指定を可能に形成されることを特徴としている。
【手続補正２０】
【補正対象書類名】明細書
【補正対象項目名】００３３
【補正方法】変更
【補正の内容】
【００３３】
また、上記目的を達成するために、請求項１乃至４に記載の発明に係るカラープルーフ作成システムは、上述のうちいずれかに記載の一又は複数の画像記録装置と、前記画像記録装置と通信網を介して通信可能に形成され、上述のうちいずれかに記載の一又は複数の管理装置とを含むことを特徴としている。
【手続補正２１】
【補正対象書類名】明細書
【補正対象項目名】００３４
【補正方法】変更
【補正の内容】
【００３４】
また、上記目的を達成するために、請求項１乃至４に記載の発明に係るカラープルーフ作成システムは、画像を編集する画像編集用の一又は複数の情報端末と、複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、前記画像処理装置と前記通信網を介して通信可能とされ、前記各色版データに基づいて、カラープルーフを各々作成出力する、上述のいずれかに記載の一又は複数の画像記録装置とを含むことを特徴としている。
【手続補正２２】
【補正対象書類名】明細書
【補正対象項目名】００３５
【補正方法】変更
【補正の内容】
【００３５】
また、上記目的を達成するために、請求項１乃至４に記載の発明に係るカラープルーフ作成システムは、画像を編集する画像編集用の一又は複数の情報端末と、複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、前記画像処理装置と前記通信網を介して通信可能とされ、前記各色版データに基づいて、カラープルーフを各々作成出力する、上述のいずれかに記載の一又は複数の画像記録装置と、前記画像記録装置と前記通信網を介して通信可能とされ、前記画像記録装置を管理するホストと、を含むことを特徴としている。
【手続補正２３】
【補正対象書類名】明細書
【補正対象項目名】００３６
【補正方法】変更
【補正の内容】
【００３６】
また、上記目的を達成するために、請求項１乃至４に記載の発明に係るカラープルーフ作成システムは、画像を編集する画像編集用の一又は複数の情報端末を含むデザインシステムと、複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置とを含むフロントシステムと、前記画像処理装置と前記通信網を介して通信可能とされ、前記各色版データに基づいて、カラープルーフを各々作成出力する、上述のいずれかに記載の一又は複数の画像記録装置と、前記画像記録装置と前記通信網を介して通信可能とされ、前記画像記録装置を管理する一又は複数のサブホストを含むホストシステムと、前記サブホストと前記通信網を介して通信可能とされ、前記サブホストを管理する一又は複数のホストを含むセンターシステムと、を含むことを特徴としている。
【手続補正２４】
【補正対象書類名】明細書
【補正対象項目名】００３７
【補正方法】変更
【補正の内容】
【００３７】
また、上記目的を達成するために、請求項５に記載の発明に係るカラープルーフ作成システムは、画像編集された画像編集ファイルを受付るとともに、前記画像編集ファイルの複数色よりなる少なくとも一つの画像データを展開分版して少なくとも１組の各色版データとし、この各色版データを面順次で複数のうち少なくとも一つの画像記録装置に転送し、前記画像記録装置からカラープルーフを出力するカラープルーフ作成システムであって、前記画像記録装置にて出力される各色版データの出力描画順序に応じて、露光量を調整制御する制御手段を含むことを特徴としている。
【手続補正２５】
【補正対象書類名】明細書
【補正対象項目名】００３８
【補正方法】変更
【補正の内容】
【００３８】
また、上記目的を達成するために、請求項５に記載の発明に係るカラープルーフ作成システムは、前記制御手段は、前記画像記録装置より出力される前記記録材の種類に応じて、露光量が調整制御されることを特徴としている。
【手続補正２６】
【補正対象書類名】明細書
【補正対象項目名】００３９
【補正方法】変更
【補正の内容】
【００３９】
また、上記目的を達成するために、請求項６に記載の発明に係るカラープルーフ作成システムは、画像編集された画像編集ファイルを受付るとともに、前記画像編集ファイルの複数色よりなる少なくとも一つの画像データを展開分版して少なくとも１組の各色版データとし、この各色版データを面順次で画像記録装置に転送し、前記画像記録装置から各色版データでカラープルーフを出力するカラープルーフ作成システムであって、前記画像記録装置にて出力される前記各色版データの出力描画順序を設定する順序設定手段と、前記順序設定手段にて設定された設定情報に基づき、前記画像記録装置にて出力される露光量を制御する制御手段と、を含むことを特徴としている。
【手続補正２７】
【補正対象書類名】明細書
【補正対象項目名】００４０
【補正方法】変更
【補正の内容】
【００４０】
また、上記目的を達成するために、請求項７に記載の発明に係るカラープルーフ作成システムは、画像を編集する画像編集用の複数の情報端末と、複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、前記画像処理装置と前記通信網を介して通信可能とされ、前記各色版データに基づいて、カラープルーフを各々作成出力する複数の画像記録装置と、を含み、前記画像処理装置は、前記画像記録装置にて出力される各色版データの出力描画順序に応じて、露光量を調整制御する制御手段を含むことを特徴としている。
【手続補正２８】
【補正対象書類名】明細書
【補正対象項目名】００４１
【補正方法】変更
【補正の内容】
【００４１】
また、上記目的を達成するために、請求項８に記載の発明に係る情報処理方法は、画像編集された画像編集ファイルを受付るとともに、前記画像編集ファイルの複数色よりなる少なくとも一つの画像データを展開分版して少なくとも１組の各色版データとし、この各色版データを面順次で画像記録装置に転送し、前記画像記録装置から基材と各色版データとでカラープルーフを出力する処理を行う情報処理方法であって、前記画像記録装置にて出力される各色版データの出力描画順序に応じて、露光量を調整制御するステップを含むことを特徴としている。
【手続補正２９】
【補正対象書類名】明細書
【補正対象項目名】００４２
【補正方法】変更
【補正の内容】
【００４２】
また、上記目的を達成するために、前記情報処理方法をコンピュータにおいて実行させるためのプログラムを定義し、コンピュータにより読み出し可能な、前記プログラムを記録した情報記録媒体を定義している。
【手続補正３０】
【補正対象書類名】明細書
【補正対象項目名】００４３
【補正方法】変更
【補正の内容】
【００４３】
また、上記目的を達成するために、請求項９に記載の発明に係るコンピュータプログラム製品は、各色分解網原稿の網点画像データに基づいて、複数の発色層が積層してなる感光材料を、波長の異なる光を発する複数の各光源により露光することで画像を記録する画像記録装置によりカラープルーフを作成するための画像処理を行うプログラムが記録されたコンピュータ可読媒体を有するコンピュータプログラム製品であって、前記網点画像データの色版印刷順と、前記複数の光源の発するべき各光量値との相関関係を定義した印刷順テーブルに関する情報を格納した情報格納手段と、前記色版印刷順に基づいて、前記情報格納手段の前記印刷順テーブルを参照しながら対応する各前記光量値を算出して前記複数の各光源の露光量を各々調整制御する制御手段と、を含むことを特徴としている。
【手続補正３１】
【補正対象書類名】明細書
【補正対象項目名】００４４
【補正方法】変更
【補正の内容】
【００４４】
また、上記目的を達成するために、請求項９に記載の発明に係るコンピュータプログラム製品は、前記コンピュータ可読媒体は、フロッピー（登録商標）ディスク、ハードディスク、光ディスク、光磁気ディスク、メモリ装置、ネットワーク化資源、不揮発性メモリカードから選択されることを特徴としている。
【手続補正３２】
【補正対象書類名】明細書
【補正対象項目名】００７０
【補正方法】変更
【補正の内容】
【００７０】
管理制御部１８は、記憶部１４から画像記録装置２０について設定されて記憶された各種情報を読み出して表示部１６に表示させ、操作部１５から所定の操作がなされた場合には、前記データ処理部１２において生成された網点画像データに対して前記設定に基づく各種画像処理がなされるようデータ処理部１２などを制御する。
【手続補正３３】
【補正対象書類名】明細書
【補正対象項目名】０１６２
【補正方法】変更
【補正の内容】
【０１６２】
さらに、制御手段は、指定された色版印刷順に基づいて、前記各光源による露光条件を変更制御し、前記順序設定手段にて設定された色版印刷順に基づいて、前記複数の光源の発するべき各光量値の組み合わせを算出し、露光される前記複数の光源の露光量の出力を調整する。
【手続補正３４】
【補正対象書類名】図面
【補正対象項目名】図１
【補正方法】変更
【補正の内容】
【図１】
2004170493.tif 000001